【事件の表示】
　特許第３３６５４１４号「浄水器」の請求項１ないし３に係る特許に対する特許異議の申立てについて、次のとおり決定する。
【結　論】
　訂正を認める。
　特許第３３６５４１４号の訂正後の請求項１に係る特許を維持する。
【理　由】
１．手続きの経緯
　特許第３３６５４１４号の請求項１〜３に係る発明についての出願は、平成１３年１月１５日に出願した特願２００１−６２３４号の一部を平成１４年６月１９日に新たな特許出願としたものであって、平成１４年１１月１日にその発明について特許の設定登録がされ、その後、その特許について、異議申立人小野和広（以下、「申立人Ａ」という。）及び三菱レイヨン株式会社（以下、「申立人Ｂ」という。）により特許異議の申立てがなされ、平成１６年５月１４日付けで取消理由通知がなされ、その指定期間内である平成１６年７月２１日付けで特許権者より訂正請求がなされたものであり、その後、申立人Ａ、Ｂに対し審尋がなされたところ、平成１６年１０月１８日付けで申立人Ｂよりのみ回答書が提出された。
　　　　　
２．訂正の適否
（１）訂正の内容
　本件訂正の内容は、本件特許明細書を訂正請求書に添付された訂正明細書のとおりに、すなわち訂正事項ａ〜ｄのとおりに訂正しようとするものである。
訂正事項ａ：本件特許明細書の特許請求の範囲の
「【請求項１】電池装着部と、通水時において信号を発信する流量検出部と、電池装着部に装着された電池から電力の供給をうけ流量検出部からの信号に基づいて表示部に出力信号を送る制御部と、制御部からの出力信号に基づいて点灯する表示部と、表示部による表示を初期表示にリセットするリセットボタンとを備えた浄水器であって、制御部は、通水の停止を検知して表示部を消灯させる機能と、電池交換後および／またはリセットボタン操作後に表示部を一定時間点灯させる機能とを有することを特徴とする浄水器。
【請求項２】表示部に電池の交換時期が表示される、請求項１に記載の浄水器。
【請求項３】表示部が液晶表示器である、請求項１または２に記載の浄水器。」を、
「【請求項１】電池装着部と、通水時において信号を発信する流量検出部と、電池装着部に装着された電池から電力の供給をうけ流量検出部からの信号に基づいて表示部に出力信号を送る制御部と、制御部からの出力信号に基づいて点灯する表示部と、表示部による表示を初期表示にリセットするリセットボタンとを備えた浄水器であって、流量検出部は、磁石を埋設した水車と、水車を回転可能に支持する水車支持部材と、磁石の回転に応じて開閉する磁気スイッチと、磁気スイッチを支持固定する磁気スイッチホルダとから構成され、表示部は、ろ過カートリッジ交換表示素子、電池交換表示素子、およびカートリッジ種類表示素子の全てを一つにまとめて設けられた液晶表示器からなり、液晶表示器は、回路基板に直接固定され、制御部は、通水の停止を検知して表示部を消灯させる機能と、電池交換後および／またはリセットボタン操作後に表示部を一定時間点灯させる機能とを有するとともに、リセットボタン操作部と表示部が同一の基板ホルダーにより保持されていることを特徴とする浄水器。」と訂正する。
訂正事項ｂ：本件特許明細書の段落【０００１】の
「本発明は、ろ過カートリッジの寿命を表示する手段を備えた浄水器に関する。」を、
「本発明は、ろ過カートリッジの寿命、電池の寿命、ならびにカートリッジ種類の全てを一つの表示部で表示する手段を備えた浄水器に関する。」と訂正する。
訂正事項ｃ：本件特許明細書の段落【０００５】〜【０００６】の
「【課題を解決するための手段】上記課題を達成するために本発明は、電池装着部と、通水時において信号を発信する流量検出部と、電池装着部に装着された電池から電力の供給をうけ流量検出部からの信号に基づいて表示部に出力信号を送る制御部と、制御部からの出力信号に基づいて点灯する表示部と、表示部による表示を初期表示にリセットするリセットボタンとを備えた浄水器であって、制御部は、通水の停止を検知して表示部を消灯させる機能と、電池交換後および／またはリセットボタン操作後に表示部を一定時間点灯させる機能とを有する浄水器を特徴とするものである。ここで、表示部に電池の交換時期が表示されていることが好ましく、また、表示部が液晶表示器であることが好ましい。」を、
「【課題を解決するための手段】上記課題を達成するために本発明は、電池装着部と、通水時において信号を発信する流量検出部と、電池装着部に装着された電池から電力の供給をうけ流量検出部からの信号に基づいて表示部に出力信号を送る制御部と、制御部からの出力信号に基づいて点灯する表示部と、表示部による表示を初期表示にリセットするリセットボタンとを備えた浄水器であって、流量検出部は、磁石を埋設した水車と、水車を回転可能に支持する水車支持部材と、磁石の回転に応じて開閉する磁気スイッチと、磁気スイッチを支持固定する磁気スイッチホルダとから構成され、表示部は、ろ過カートリッジ交換表示素子、電池交換表示素子、およびカートリッジ種類表示素子の全てを一つにまとめて設けられた液晶表示器からなり、液晶表示器は、回路基板に直接固定され、制御部は、通水の停止を検知して表示部を消灯させる機能と、電池交換後および／またはリセットボタン操作後に表示部を一定時間点灯させる機能とを有するとともに、リセットボタン操作部と表示部が同一の基板ホルダーにより保持されている浄水器を特徴とするものである。」と訂正する。
訂正事項ｄ：本件特許明細書の段落【００４５】の
「液晶表示器１０５には、図１７に示すように、枠１６７とその中に設けられた３個のブロックＡ、Ｂ、Ｃからなるろ過カートリッジ交換表示素子１６１と、電池交換表示素子１６２と、カートリッジ種類表示素子１６３とが設けられており、それらが点灯、消灯、点滅することで、カートリッジの寿命、電池の寿命、カートリッジの種類を表示する。これらろ過カートリッジ交換表示素子１６１、電池交換表示素子１６２、カートリッジ種類表示素子１６３は、個々に独立して設けてもよいが、本実施態様のように１つの液晶表示器にまとめて設けることにより、省スペース化を図ることができ、また、使用者が一目で多数の情報を読み取ることができるので好ましい。」を、
「液晶表示器１０５には、図１７に示すように、枠１６７とその中に設けられた３個のブロックＡ、Ｂ、Ｃからなるろ過カートリッジ交換表示素子１６１と、電池交換表示素子１６２と、カートリッジ種類表示素子１６３とが設けられており、それらが点灯、消灯、点滅することで、カートリッジの寿命、電池の寿命、カートリッジの種類を表示する。これらろ過カートリッジ交換表示素子１６１、電池交換表示素子１６２、カートリッジ種類表示素子１６３は、１つの液晶表示器にまとめて設けることにより、省スペース化を図ることができ、また、使用者が一目で多数の情報を読み取ることができる。」と訂正する。
（２）訂正の目的の適否、新規事項の有無及び特許請求の範囲の拡張又は偏向の存否
　訂正事項ａは、請求項２と請求項３を削除し、請求項１の「流量検出部」について「磁石を埋設した水車と、水車を回転可能に支持する水車支持部材と、磁石の回転に応じて開閉する磁気スイッチと、磁気スイッチを支持固定する磁気スイッチホルダとから構成され」と限定し、また、「表示部」について「ろ過カートリッジ交換表示素子、電池交換表示素子、およびカートリッジ種類表示素子の全てを一つにまとめて設けられた液晶表示器からなり、液晶表示器は、回路基板に直接固定され」と限定し、また、「制御部」について「通水の停止を検知して表示部を消灯させる機能と、電池交換後および／またはリセットボタン操作後に表示部を一定時間点灯させる機能とを有するとともに、リセットボタン操作部と表示部が同一の基板ホルダーにより保持されている」と限定するものであるから、特許請求の範囲の減縮を目的とする訂正に該当する。そして、訂正事項ａは、本件の願書に添付した明細書又は図面の段落【００３６】、【００４４】、【００４５】、図１３、図１４、図１６及び図１７の記載に基づくものであるから、願書に添付した明細書又は図面に記載された事項の範囲内の訂正であり、新規事項の追加に該当せず、また、実質上特許請求の範囲を拡張し又は変更するものではない。また、上記訂正事項ｂ、ｃ、ｄは、訂正事項ａと整合を図るとともに、特許請求の範囲の記載と整合を図るものであるから、明りょうでない記載の釈明を目的とする訂正に該当する。そして、訂正事項ｂ〜ｄは、訂正事項ａで見たとおり、願書に添付した明細書又は図面に記載された事項の範囲内の訂正であり、新規事項の追加に該当せず、また、実質上特許請求の範囲を拡張し又は変更するものではない。
（３）むすび
　以上のとおりであるから、上記訂正は、特許法第１２０条の４第２項及び第３項において準用する特許法第１２６条第２項から第４項までの規定に適合するので、当該訂正を認める。
　　　　　
３．特許異議の申立てについて
３−１．本件発明
　上記のとおり、訂正は認められるから、訂正後の本件請求項１に係る発明（以下、「本件発明」という。）は、訂正明細書の特許請求の範囲の請求項１に記載された次のとおりのものである。
【請求項１】電池装着部と、通水時において信号を発信する流量検出部と、電池装着部に装着された電池から電力の供給をうけ流量検出部からの信号に基づいて表示部に出力信号を送る制御部と、制御部からの出力信号に基づいて点灯する表示部と、表示部による表示を初期表示にリセットするリセットボタンとを備えた浄水器であって、流量検出部は、磁石を埋設した水車と、水車を回転可能に支持する水車支持部材と、磁石の回転に応じて開閉する磁気スイッチと、磁気スイッチを支持固定する磁気スイッチホルダとから構成され、表示部は、ろ過カートリッジ交換表示素子、電池交換表示素子、およびカートリッジ種類表示素子の全てを一つにまとめて設けられた液晶表示器からなり、液晶表示器は、回路基板に直接固定され、制御部は、通水の停止を検知して表示部を消灯させる機能と、電池交換後および／またはリセットボタン操作後に表示部を一定時間点灯させる機能とを有するとともに、リセットボタン操作部と表示部が同一の基板ホルダーにより保持されていることを特徴とする浄水器。
　　　　
３−２．取消理由通知の概要
　訂正前の請求項１〜３に係る発明は、引用文献１〜５に記載された発明に基づいて当業者が容易に発明をすることができたものであるから、訂正前の請求項１〜３に係る発明の特許は特許法第２９条第２項の規定に違反してなされたものであるから、取り消されるべきものである。
　　　　
３−３．引用文献の記載事項
（１）引用文献１：特開平８−２０６６４２号公報（申立人Ｂが提示した甲第１号証）
　引用文献１には「浄水器」に関して次の事項が記載されている。
（ア）「水路内の水流を動力にして生成される流量信号から浄水量を計測し、該浄水量の積算値が所定量になったとき、前記水路内に設けられた濾過材の交換時期を示す交換信号を生成する信号処理手段と、前記交換信号に基づいて前記濾過材の交換時期を表示する表示手段と、複数の蓄電手段を有し、前記信号処理手段及び表示手段に電力を供給する電源手段と、前記電源手段からの出力電圧を監視する電圧監視手段と、前記水路内の水流を動力にして発電する発電手段と、前記発電した電力を前記各蓄電手段に蓄える充電手段と、前記電源手段の出力電圧の大きさに従って前記各蓄電手段の接続形態を変える電源制御手段とを具備する浄水器。」（【特許請求の範囲】【請求項１】）
（イ）「従来家庭用又は業務用の浄水器においては、内部の濾過材が交換時期になったときに電気的に表示するものが提供されている。このような浄水器には、浄水器での浄水量の積算値を継続的に計測し、その積算値から濾過材の交換時期を判断するために電子回路が設けられており、通常、その電源としては・・・乾電池又はボタン電池が用いられている。」(第２頁左欄４６行〜同頁右欄２行）
（ウ）「本発明の目的は、濾過材の交換時期を電気的に表示する浄水器において、外部からの電力供給や電池交換を必要としない浄水器を提供することにある。」（第２頁右欄１４〜１６行）
（エ）「本浄水器１０は、浄水器内の水流を動力にして生成した起電力を複数の蓄電池に蓄えて各部に電力供給する電源部２０と、電源部２０からの出力電圧を監視し、その出力電圧値に基づいて蓄電池の接続形態及び充電電圧を変更する電源制御部３０と、浄水器１０内で処理される浄水量を継続的に計測して積算値を算出し、その積算値を基に浄水器内の濾過材の交換時期を判別する信号処理部４０と、信号処理部４０からの表示信号に基づいて濾過材が交換時期であることを表示する表示部５０とを備えている。」（第３頁左欄３１〜４０行）
（オ）「上記電源部２０に設けられる各蓄電池２１は、ニッケル・カドミウム蓄電池等、充電可能な二次電池の集合体であり、電源制御部３０からの接続切替信号に基づいて蓄電池どうしの接続形態が変更される。これら蓄電池２１に電力を蓄えるために、電源部２０には浄水器内の水流を動力にして発電する水力発電部２２と、蓄電池の各接続状態に応じた充電電圧で蓄電池を充電する充電部２３とが設けられている。・・・電源部２０の水力発電機２２は、水路１４に設けられた水車２５と、水車２５の回転軸に永久磁石が取付けられた回転子２６と、鉄心及び巻線から構成され、回転子２６が回転することで起電力を生起する固定子２７とを備えている。・・・水力発電機２２で生成された起電力が、一方では充電部２３や各部に電源用として供給され、他方では浄水の流量信号ａとして信号処理部４０に供給されるように構成され」（第３頁左欄４１行〜同頁右欄１９行）
（カ）「信号処理部４０には、水力発電機２２から交番電圧で供給される流量信号ａを矩形波に波形整形し、そのエッジをカウントすることで浄水量を計測する浄水量計測部４１と、その浄水量の積算値を継続的に算出して濾過材の交換時期を判別する演算制御部４２と、演算制御部４２で実行するプログラムやその係数、並びに生成したデータを格納するＲＯＭ及びＲＡＭを備えた記憶部４３とが設けられている。濾過材の交換時期は、使用される濾過材に対して予め設定されている総浄水量と上記算出した積算値とを比較して、その積算値が総浄水量を越えたとき、又は積算値が総浄水量に近づいたときに判別される。濾過材が交換時期であると判別した場合、演算制御部４２は、表示信号ｂを生成して表示部５０に供給し、浄水器表面に設けた発光ダイオード５１を点滅又は点灯させる。本実施例において表示部５０は、浄水器の外面に１個の発光ダイオードを耐水保護して設けているが、その他、液晶表示器を設けて常に現在の積算値を表示するようにしてもよい。また、複数個の発光ダイオードと、その近傍に２つのスイッチとを設けて、一方のスイッチの操作時には現在の積算値を段階的に表示し、両方のスイッチの同時操作時には積算値をリセットするようにしてもよい。更に、濾過材の交換時期又は浄水量の積算値を表示するとき、上記流量信号ａの存在を基に当該蛇口の使用状態を判別し、当該蛇口の使用時、つまり流量信号ａが生成されているときには表示動作を行い、流量信号ａが無くなり、蛇口の使用が終了したときには、流量信号消滅後、所定時間だけ表示するようにしてもよい。」（第３頁右欄２８行〜第４頁左欄７行）
（２）引用文献２：特開平８−１８４４６７号公報（申立人Ｂが提示した甲第２号証）
　引用文献２には「温度表示付流量計」に関し、次の事項が記載されている。
（ア）「本発明は、流体の流量を計測して表示部に表示するようにした流量計に係り、特に流体について計測した温度も表示できるようにした温度表示付流量計に関するものである。」（第２頁左欄４０〜４３行）
（イ）「本発明は、・・・単一の表示部に流量積算値と瞬間流量値を切替表示するものにおいて、切替操作を誤って行うことをできるだけ防止し、しかも煩わしい新たな操作を行うことなく温度表示を同一表示部に行えるようにして、小型化とコストダウンを図った温度表示付流量計を提供することを目的としている。」（第２頁右欄２５〜３１行）
（ウ）「計測表示部２は、・・・下ケース２１と上ケース２２とからなるケース２３、このケース２３内に収容されたプリント基板２４及び電源用の電池２５、上ケース２２の上面に配置された液晶表示器２６及びモード選択ボタン２７などにより構成され」（第４頁左欄３４〜３９行）
（エ）「計測表示部２の上ケース２１の上面に配置された表示器２６は、下段左側から小さな４桁数字表示部２６ａと、大きな４桁数字表示部２６ｂとが配置され、この大きな４桁数字表示部２６ｂの更に右側に単位表示部が配置されている。単位表示部は上下に『ｍ３／ｈ』セグメント表示２６ｃと『Ｌ／ｍｉｎ』セグメント表示２６ｄとが配されている。そして、小さな４桁数字表示部２６ａの上段には『ＥＣＯ』セグメント表示２６ｅと『ＢＡＴ』セグメント表示２６ｆとが、大きな４桁数字表示部２６ｂ上段には各桁に対応して一列に配列された４つのバーセグメント表示２６ｇがそれぞれ配されている。小さな４桁数字表示部２６ａの最上位桁は、現在の表示状態、現在表示モードを示す状態表示部として働き、４つのバー表示２６ｇは、点滅のローテーションによって流れの有無を表示する流れ表示部として働く。なお、図２では全ての表示２６ａ〜２６ｇが点灯した状態を示しており、実際には、状況に応じてこれらが選択的に点灯表示されるようになっている。」（第４頁左欄末行〜同頁右欄１８行）
（オ）「ＣＰＵ３０は電圧低下を検出すると、『ＢＡＴ』セグメント表示２６ｆを点滅させて電池交換を要求するが、このとき現在の動作モードで動作を継続しながら、停電の監視を開始する。電圧低下の復帰を検出すると、停電の監視を中止する。この点滅は、０．５秒のオン、０．５秒のオフで行われる。・・・電池交換などによって、停電が復帰し電圧低下も復帰したときには、ＣＰＵ３０はＲＡＭ３０ｂに保存されている内容によって待ち状態に入る直前の動作モードに自動復帰して動作を再開する。・・・積算総流量動作の際、流体が流れているときには、４つのバーセグメント表示２６ｇを０．５秒オン、１．５秒オフさせ、左から右へローテーションさせる。流れがないときには、バーセブメント（『バーセブメント』は『バーセグメント』の誤記であると認められる。）表示２６ｇは消灯させる。・・・ＣＰＵ３０は電源投入によって又はリセットスイッチ３３ｄのオン操作によって、図１４のフローチャートに示すリセット動作をスタートし、その最初のステップＳ１において初期処理を行ってからステップＳ２に進み、ここで表示器２６の全セグメントを３秒間０．５秒毎に点灯・消灯を繰り返して点滅させる。」（第６頁右欄２〜３８行）
（カ）「続いてステップＳ１６に進み、ここで今回の計測で流れがあるか否かを判定する。この判定はステップＳ１２においてパルス計数があるかどうかによって行う。このステップＳ１６の判定がＹＥＳのときにはステップＳ１７に進んで積算総流量値の加算を行い、次にステップＳ１８に進んで起算バッチ流量値の加算を行う。このステップＳ１７及びＳ１８の加算は、ＲＡＭ３０ａ内の所定の積算総流量値エリア及び起算バッチ流量値エリアにステップＳ１５において計測した流量を加算することにより行う。その後ステップＳ１９に進んで表示器２６のバーセグメント表示２６ｇを点滅させながらローテーションさせ、流れがあることを表示によって指示する。」（第７頁左欄３６〜４８行）
（キ）「更に、上記ステップＳ１６の判定がＮＯのときにはステップＳ２６に進んで表示器２６のバーセグメント表示２６ｇを消灯させ、次のステップＳ２７に進んで今回の瞬時表示値を０としてからステップＳ２８に進む。」（第７頁右欄１３〜１７行）
（３）引用文献３：特開昭５９−６９６２４号公報（申立人Ｂが提示した甲第３号証、申立人Ａが提示した甲第３号証）
　引用文献３には「燃料遮断制御装置」に関し、次の事項が記載されている。
（ア）「本発明は、電池低下表示機能を付加した燃料遮断制御装置において、不良電池との誤交換を防止し、燃料遮断制御装置の年中監視機能を確実に維持できるようにすることを目的としている。」（第２頁左上欄１２〜１５行）
（イ）「１は電池からなる電源部」（第２頁右上欄７行）
（ウ）「まず、電源部１を投入すると電源投入時に一時的に電位変化を発生するリセット部２の電位が主制御部５のＲＳＴ端子に入力されて、主制御部５の動作を初期化する。主制御部５は……、その後電源電圧近傍の電圧になれば、動作を開始する。この時点で表示部６に点灯出力をおこない、一定時間(例えば１秒位)出力した後、表示部６を消灯する。仮りに電池電圧がゼロに近いものを挿入した場合には、何ら表示部６には表示されない。つまり主制御部５も動作していない状態であり、作業者は、この表示状態を見て、主制御部５の動作状態、電池の交換ミスが容易に判断できる。」（第２頁右上欄１８行〜同頁左下欄１１行）
（エ）「電圧チェック結果が電圧低下状態であれば表示部６を駆動する。」（第２頁左下欄末行〜同頁右下欄１行）
（４）引用文献４：特開平１０−１２４７８８号公報（申立人Ｂが提示した甲第４号証）
　引用文献４には「計測装置及び流量計並びにそれらの制御方法」に関し、次の事項が記載されている。
（ア）「計測表示部２は、・・・下ケース２１と上ケース２２とからなるケース２３、このケース２３内に収容されたプリント基板２４及び電源用の電池２５、上ケース２２の上面に配置された液晶表示器２６及びモード選択ボタン２７などにより構成されている。」（第８頁右欄４５〜末行）
（イ）「計測表示部２の上ケース２１の上面に配置された表示器２６は、下段左側から小さな４桁数字を表示可能な内容表示部２６ａと、大きな４桁数字表示を表示可能な計測量表示部２６ｂとが配置され、この大きな４桁数字表示部２６ｂの更に右側に単位表示部が配置されている。単位表示部は上下に『ｍ３／ｈ』セグメント表示２６ｃと『Ｌ／ｍｉｎ』セグメント表示２６ｄとが配されている。そして、小さな４桁数字表示部２６ａの上段には『ＥＣＯ』セグメント表示２６ｅと『ＢＡＴ』セグメント表示２６ｆとが、大きな４桁数字表示部２６ｂ上段には各桁に対応して一列に配列された４つのバーセグメント表示２６ｇがそれぞれ配されている。小さな４桁数字表示部２６ａの最上位桁は、現在の表示状態、現在表示モードを示す状態表示部として働き、４つのバー表示２６ｇは、点滅のローテーションによって流れの有無を表示する流れ表示部として働く。なお、図２では全ての表示２６ａ〜２６ｇが点灯した状態を示しており、実際には、状況に応じてこれらが選択的に点灯表示されるようになっている。」（第９頁左欄１１〜３０行）
（ウ）「ＣＰＵ３０は電圧低下を検出すると、図１５に示すように、『ＢＡＴ』セグメント表示２６ｆを点滅させて電池交換を要求するが、このとき現在の動作モードで動作を継続しながら、停電の監視を開始する。電圧低下が解消し、電池電圧の復帰を検出すると、停電の監視を中止する。この点滅は、０．５秒のオン、０．５秒のオフで行われる。・・・。電池交換などによって、停電から復帰し電圧低下も復帰したときには、ＣＰＵ３０はＲＡＭ３０ｂに保存されている内容によって待ち状態に入る直前の動作モードに自動復帰して動作を再開する。・・・。そして、流体が流れているときには、４つのバーセグメント表示２６ｇを０．５秒オン、１．５秒オフさせ、左から右へローテーションさせる。流れがないときには、バーセグメント表示２６ｇは消灯させる。・・・。ＣＰＵ３０は電源投入によって又はリセットスイッチ３３ｄのオン操作によって、図１６のフローチャートに示すリセット動作を開始し、予め設定された初期処理を行い（ステップＳ１）、表示器２６の全セグメントを３秒間０．５秒毎に点灯・消灯を繰り返して点滅させる（ステップＳ２）。」（第１１頁左欄４２行〜同頁右欄２８行）
（エ）「ステップＳ１８の判別において流体の流れがなかった場合には（ステップＳ１８；Ｎｏ）、バーセグメント表示を消灯し（ステップＳ２８）、今回の瞬時表示値を０として（ステップＳ２９）、処理をステップ３０に移行する。ステップＳ１８の判別において、流体の流れがあった場合には（ステップＳ１８；Ｙｅｓ）、ＲＡＭ３０内の所定の積算総流量値エリアに記憶されている前回の計測までの積算総流量値に今回の計測における流量値を加算する（ステップＳ１９）。続いて、ＣＰＵ３０は、ＲＡＭ３０ａ内の積算バッチ流量値エリアに記憶されている前回の計測までの積算バッチ流量値に今回のバッチ流量値を加算する（ステップＳ２０）。その後、ＣＰＵ３０は、表示器２６のバーセグメント表示２６ｇを点滅させながらローテーションさせ、流れがあることを表示する（ステップＳ２１）。」（第１２頁右欄３４〜末行）
（５）引用文献５：特開平２−１０１４４５号公報（申立人Ｂが提示した甲第５号証）
　引用文献５には「カメラのデート写込制御方法」に関し、次の事項が記載されている。
（ア）「本発明は・・・その目的は、誤ったデータの写し込み防止およびセグメントチェックのための作業の容易化を図ることのできるカメラのデート写込制御方法を提供することにある。」（第１頁右下欄末行〜第２頁左上欄４行）
（イ）「本発明では、電源電池が装填された際に、その装填を認識することで、先ずセグメントチェックのために所定時間例えば3秒間全液晶セグメントを　点灯制御し」(第２頁左上欄１５〜１８行）
（ウ）「電源電池が１が（『が１が』は『１が』の誤記であると認められる。)電池交換等の理由で装填されたとすると、その装填でトリガ回路５ｂを介してデート制御用ＣＰＵ５ａにリセット信号が与えられ、デート制御用ＣＰＵ５ａがパワーオンリセットすなわち電源電池１の装填を認識する。パワーオンリセットの認識でステップ１０に入り、液晶表示器５ｄの全セグメントを点灯制御し、次ぎのステップ１１で３秒間全セグメントの点灯制御を保持する。」（第２頁右下欄１０〜１８行）
　　　　　　　　　
３−４．対比・判断
　引用文献１には、記載事項エに「本浄水器は、浄水器内の水流を動力にして生成した起電力を複数の蓄電池に蓄えて各部に電力供給する電源部と、電源部からの出力電圧を監視し、その出力電圧値に基づいて蓄電池の接続形態及び充電電圧を変更する電源制御部と、浄水器内で処理される浄水量を継続的に計測して積算値を算出し、その積算値を基に浄水器内の濾過材の交換時期を判別する信号処理部と、信号処理部からの表示信号に基づいて濾過材が交換時期であることを表示する表示部とを備えている」ことが記載されている。この記載中の「電源部」に関し、記載事項オに「電源部の水力発電機は、水路に設けられた水車と、水車の回転軸に永久磁石が取付けられた回転子と、鉄心及び巻線から構成され、回転子が回転することで起電力を生起する固定子とを備え、水力発電機で生成された起電力が、一方では充電部や各部に電源用として供給され、他方では浄水の流量信号として信号処理部に供給されるように構成され」と記載され、また、「表示部」に関し、記載事項カに「複数個の発光ダイオードと、その近傍に２つのスイッチを設けて、両方のスイッチの同時操作時には浄水量の積算値をリセットするようにしてもよい」ことや「蛇口の使用時、つまり流量信号ａが生成されているときには表示動作を行い、流量信号ａが無くなり、蛇口の使用が終了したときには、流量信号消滅後、所定時間だけ表示するようにしてもよい」ことが記載されている。
　これらの記載を本件発明の記載振りに沿って整理すると、「浄水器内で生成した起電力を複数の蓄電池に蓄えて各部に電力供給する電源部と、電源部の水力発電機は、水路に設けられた水車と、水車の回転軸に永久磁石が取付けられた回転子と、鉄心及び巻線から構成され、回転子が回転することで起電力を生起する固定子とを備え、水力発電機で生成された起電力が浄水の流量信号として信号処理部に供給されて、浄水器内で処理される浄水量を継続的に計測して積算値を算出し、その積算値を基に浄水器内の濾過材の交換時期を判別する信号処理部と、信号処理部からの表示信号に基づいて濾過材が交換時期であることを表示する表示部と、表示部の積算値表示をリセットする２つのスイッチを複数個の発光ダイオードの近傍に備え、蛇口の使用時に表示動作を行い、流量信号消滅後、所定時間だけ表示するようにした浄水器」の発明（以下、「引用１発明」という。）が記載されている。
　そこで、本件発明と引用１発明を対比すると、引用１発明の「信号処理部」、「表示部」及び「表示をリセットする２つのスイッチ」が、それぞれ、本件発明における「制御部」、「表示部」及び「リセットボタン」に相当し、引用１発明の「水力発電機」は、そこで生成された起電力が流量信号となることからみて流量検出機能をも果たしているとみれることから、これは本件発明の「流量検出部」に相当するといえる。また、「リセット」が通常初期状態に戻す意味合いであることは自明であり、引用１発明の「蛇口の使用時に表示動作を行う」ことは、実質的に「蛇口の停止時に表示動作を行わない」ように操作しているとみれ、また、引用１発明の「リセットする２つのスイッチを複数個の発光ダイオードの近傍に備えこと」は「リセットボタン操作部と表示部が同一の基板ホルダーにより保持されている」とみれることから、両者は、「通水時において信号を発信する流量検出部と、電力の供給をうけ流量検出部からの信号に基づいて表示部に出力信号を送る制御部と、制御部からの出力信号に基づいて点灯する表示部と、表示部による表示を初期表示にリセットするリセットボタンとを備えた浄水器であって、流量検出部は、磁石を埋設した水車とから構成され、表示部は、ろ過カートリッジ交換表示素子が設けられた表示器からなり、制御部は、通水の停止を検知して表示部を消灯させる機能と、リセットボタン操作部と表示部が同一の基板ホルダーにより保持されている」点で一致し、以下の点で相違する。
相違点ａ：本件発明では「電池装着部」を備え、「電池装着部に装着された電池から電力の供給をうけ」ているのに対し、引用１発明では、「水力発電機からの起電力を蓄電池に蓄えて電力供給して」いる点
相違点ｂ：本件発明では「流量検出部が、磁石を埋設した水車と、水車を回転可能に支持する水車支持部材と、磁石の回転に応じて開閉する磁気スイッチと、磁気スイッチを支持固定する磁気スイッチホルダとから構成されている」のに対して、引用１発明では、「水車と、水車の回転軸に永久磁石が取付けられた回転子と」は有するものの、「磁気スイッチや磁気スイッチホルダ」の構成がない点
相違点ｃ：本件発明が「表示部が、ろ過カートリッジ交換表示素子、電池交換表示素子、およびカートリッジ種類表示素子の全てを一つにまとめて設けられた液晶表示器からなり、液晶表示器が、回路基板に直接固定されている」のに対して、引用１発明では、表示部にろ過カートリッジ交換表示素子は設けられているものの、他の表示素子はなく、液晶表示器が、回路基板に直接固定されているか不明である点
相違点ｄ：本件発明では「制御部が、電池交換後および／またはリセットボタン操作後に表示部を一定時間点灯させる機能も有するとともに、リセットボタン操作部と表示部が同一の基板ホルダーにより保持されている」のに対して、引用１発明では、流量信号消滅後、所定時間だけ表示するようにしてはいるが、電池交換後および／またはリセットボタン操作後に表示部を一定時間点灯させる機能も有するものではない点
　そこで、上記相違点の内、まず、相違点ｃについて、特に「表示部は、ろ過カートリッジ交換表示素子、電池交換表示素子、およびカートリッジ種類表示素子の全てを一つにまとめて設けられた液晶表示器からなること」（以下、「構成ｃ」という。）につき他の証拠に基づいて検討すると、引用文献２の記載事項ア〜キには、「表示部が、流量表示、温度表示、電池交換要求表示等を行っている液晶表示器からなること」が記載されていて、「表示部が異なる操作項目の表示素子を一つにまとめて設けられた液晶表示器からなること」は記載されているものの、引用文献２は、浄水器に関するものではなく、「表示部をろ過カートリッジ交換表示素子、電池交換表示素子、およびカートリッジ種類表示素子の全てを一つにまとめて設けられた液晶表示器からなること」についても記載されていない。そうすると、引用文献２には構成ｃについて記載があるとはいえない。
　また、引用文献３には記載事項アによると表示部には電池低下を示す内容だけを表示するものであるから、浄水器に関するものではない上、表示部に異なる操作項目の表示素子をまとめて設けることは全く記載されていない。そうすると、引用文献３にも構成ｃについては、何ら記載も示唆もないといえる。
　また、引用文献４の記載事項ア〜エには、「表示部が、流量表示、電池交換要求表示等を行っている液晶表示器からなること」が記載され、さらに「表示部が異なる操作項目の表示素子を一つにまとめて設けられた液晶表示器からなること」は記載されているものの、引用文献４は、浄水器に関するものではなく、「表示部をろ過カートリッジ交換表示素子、電池交換表示素子、およびカートリッジ種類表示素子の全てを一つにまとめて設けられた液晶表示器からなること」については記載されていない。そうすると、引用文献４には構成ｃについて記載されているとはいえない。
　また、引用文献５には記載事項アによると表示部にはデートを示す内容だけを表示するものであるから、浄水器に関するものではない上表示部に異なる操作項目の表示素子をまとめて設けることは記載されていない。そうすると、引用文献５にも構成ｃについては、何ら記載も示唆もない。
　そして、本件発明の構成ｃは、「省スペース化を図り、使用者が一目で多数の情報を読み取ることができ、カートリッジ種類に合わせたカートリッジ残存寿命が表示されるので、使用者は、使用しているカートリッジの種類とろ過能力、使用開始時期をわざわざ記憶しておかなくても適切な時期にろ過カートリッジを交換できるようにする」（段落【００４５】、【００５８】）ためであり、複数のろ過カートリッジや電池を装脱着することを意図しているのに対して、引用文献１には、「ろ過カートリッジとして種類の異なるものを使用すること」も「表示部にろ過カートリッジ交換表示素子以外の操作項目の表示素子を設けること」も記載されていなく、上記した本件発明の技術的思想を見出すことはできない。また、他の引用文献にも、複数の内容を表示することは開示があるものの、これらが浄水器のものではない上、「種類の異なるろ過カートリッジを使用すること」については全く開示がない。以上のことからみて、引用文献１〜５を組み合わせても構成ｃを困難なく導き出すことはできない。
　なお、申立人Ｂは、回答書で甲第６号証（特開平５−９９７１１号公報）、甲第７号証（特開平１０−９０７８０号公報）、甲第８号証（特許第２５３９２２４号公報）を提示して、概ね「請求項１についての訂正事項は、周知技術に過ぎないから、周知技術の単なる転用または組み合わせに過ぎない」旨（第５頁１３〜２３行）を主張し、また、上記の構成ｃに関しても「甲第７号証にも記載されているように周知技術である」旨（第３頁第２１行〜第４頁第１４行）主張している。しかしながら、甲第６号証〜甲第８号証には、複数の表示をまとめて設けることは開示されているとしても、これらは浄水器に関するものではなく、表示内容も異なることは明らかであるから、構成ｃについては、記載があるとはいえないから、この主張を認めることはできない。
　そして、本件発明は相違点ｃの構成を具備することによって、他の相違点の構成と相俟って「省スペース化を図ることができ、また、使用者が一目で浄水器に関する多数の情報を読み取ることができ、さらに、使用者は、使用しているカートリッジの種類とろ過能力、使用開始時期をわざわざ記憶しておかなくても適切な時期にろ過カートリッジを交換でき、使用者が、正しく電池を装着できたことや、正しくデータをリセットできたことを確認することができる」という本件明細書に記載の効果を奏するものである。
　してみると、本件発明は、上記相違点ａ、ｂ、ｄを検討するまでもなく、上記引用文献１〜５に記載された発明に基づいて当業者が容易に発明をすることができたものであるとすることができない。
　なお、引用文献１〜５および申立人Ｂの甲第６号証〜甲第８号証以外に、申立人Ａは、甲第１号証（特開２０００−３３３６７号公報）、甲第２号証（特開平１−２８８８４４号公報）、甲第４号証（特開平８−１３８１０１号公報）、甲第５号証（特開昭５９−１１６５１８号公報）、甲第６号証（特開昭５７−１４７６２２号公報）を提示し、申立人Ｂは、参考資料１（特開平１０−２５３４６４号公報）、参考資料２（特開平８−２３８３７７号公報）、参考資料３（特開昭５８−１６６３９１号公報）、参考資料４（特開平１１−２６６７５６号公報）、参考資料５（特開平５−２６４３１５号公報）、参考資料６（特開平１１−３３７３７９号公報）、参考資料７（特開平６−１３７９１２号公報）、参考資料８（特開昭６４−４４５８７号公報）、参考資料９（実用新案登録第２５１６２０３号公報）を提示しているが、これらの文献をみても上記した判断を覆せることはできない。
４．むすび
　以上のとおりであるから、特許異議の申立の理由及び証拠によっては、本件訂正後の請求項１に係る発明についての特許を取り消すことができない。
　また、他に本件訂正後の請求項１に係る発明の特許を取り消すべき理由を発見しない。
　よって、結論のとおり決定する。
【異議決定日】
平成１７年６月７日（２００５．６．７）
【訂正の要旨】
審決（決定）の【理由】欄参照。
（５４）【発明の名称】
浄水器
（５７）【特許請求の範囲】
　【請求項１】
　電池装着部と、通水時において信号を発信する流量検出部と、電池装着部に装着された電池から電力の供給をうけ流量検出部からの信号に基づいて表示部に出力信号を送る制御部と、制御部からの出力信号に基づいて点灯する表示部と、表示部による表示を初期表示にリセットするリセットボタンとを備えた浄水器であって
、流量検出部は、磁石を埋設した水車と、水車を回転可能に支持する水車支持部材と、磁石の回転に応じて開閉する磁気スイッチと、磁気スイッチを支持固定する磁気スイッチホルダとから構成され、表示部は、ろ過カートリッジ交換表示素子、電池交換表示素子、およびカートリッジ種類表示素子の全てを一つにまとめて設けられた液晶表示器からなり、液晶表示器は、回路基板に直接支持固定され、
るとともに、リセットボタン操作部と表示部が同一の基板ホルダーにより保持されているこ
【発明の詳細な説明】
　【発明の属する技術分野】
　本発明は、ろ過カ−トリッジの寿命
、電池の寿命、ならびにカートリッジ種類の全てを一つの表示部で表
　【従来の技術】
　従来、ろ過カ−トリッジの交換時期を使用者に表示する浄水器としては、たとえば、特開平１０−１１８６４１号公報に記載されているような、ろ過カ−トリッジに流れた原液あるいはろ液の流量を測定するとともに、これを積算した積算流量が予め設定された寿命到達流量に達した時点で発光ダイオ−ド（以下、ＬＥＤ）を点灯させるものが知られている。使用者はＬＥＤの点灯により、ろ過カ−トリッジが寿命に達し交換が必要であることを知ることができた。
　しかしながら、この浄水器は、流量の測定値を演算したりＬＥＤを点灯するための電源として電池を用いているものの、電池の寿命を使用者に知らせる機能はない。そのため、使用者は電池の使用開始時期と説明書等に記載されている電池寿命とを記憶し、それに基づいて電池を交換する必要があるが、長期間、使用開始時期と電池寿命とを記憶し続けるのは難しく、電池交換を忘れたためにろ過カ−トリッジ使用中に積算流量のデ−タが消滅してしまうという問題が生じていた。
　【発明が解決しようとする課題】
　本発明の課題は、上述のような問題点に鑑み、電池の電力消費を大幅に抑えることで電池を長期間使用でき、さらに、電池交換後やリセットボタン操作後には表示を点灯して電池を装着できたことや正しくデータをリセットできたことを確認できる浄水器を提供することである。
　【課題を解決するための手段】
　上記課題を達成するために本発明は、電池装着部と、通水時において信号を発信する流量検出部と、電池装着部に装着された電池から電力の供給をうけ流量検出部からの信号に基づいて表示部に出力信号を送る制御部と、制御部からの出力信号に基づいて点灯する表示部と、表示部による表示を初期表示にリセットするリセットボタンとを備えた浄水器であって
、流量検出部は、磁石を埋設した水車と、水車を回転可能に支持する水車支持部材と、磁石の回転に応じて開閉する磁気スイッチと、磁気スイッチを支持固定する磁気スイッチホルダとから構成され、表示部は、ろ過カートリッジ交換表示素子、電池交換表示素子、およびカートリッジ種類表示素子の全てを一つにまとめて設けられた液晶表示器からなり、液晶表示器は、回路基板に直接支持固定され、
るとともに、リセットボタン操作部と表示部が同一の基板ホルダーにより保持されている浄
。
　【発明の実施の形態】
　以下に、本発明の望ましい実施の形態を、家庭のキッチンなどの蛇口に取り付けられる浄水器を例にとり、図を参照しながら説明する。
　本発明の浄水器は、図１〜図６に示すように、その内部に切換弁を内蔵した本体部２と、ろ材を収納したろ過カ−トリッジ３などから構成されている。本体部２にはレバ−５が設けられ、レバ−５を操作することにより、蛇口４から原水流入口を通って流入した原水をそのままシャワ−水として吐出するか（原水シャワ−）、そのままストレ−ト水として吐出するか（原水ストレ−ト）、ろ過カ−トリッジ３に供給するか、を選択して切り換える。ろ過カ−トリッジ３に供給された原水は、活性炭などの吸着剤や中空糸膜等によってろ過され、浄水流出口から浄水として吐出される。
　まず、本体部２について説明する。
　本体部２は、図４、図５に示すように、切換弁を構成する３個のボ−ル１１ａ、１１ｂ、１１ｃと弁軸１２とを備えた切換弁本体１３、原水シャワ−口１４と、原水ストレ−ト口１５と、浄水流出口１９とを備えた下部ボディ１６、切換弁本体１３が上面に突出する開口部を備えた上部ボディ１７、切換操作を行う弁操作部１８、ろ過カ−トリッジ３を固定するカ−トリッジキャップ９１、流量を積算して、その結果を表示する電装部などから構成されている。
　切換弁本体１３には、リング状のパッキン３６が装着され、蛇口４のおねじ部にねじ込んだアダプタ３７を介して、取付ナット３８を切換弁本体１３に螺合させ、本体部２を蛇口４に取り付けるようになっている。
　切換弁本体１３の内部は、３個の通水路２１ａ、２１ｂ、２１ｃを開設した区画板２２によって、上部室２３と下部室２４とに区画されている。
　上部室２３には、３個のボ−ル１１ａ、１１ｂ、１１ｃが、３個の通水路２１ａ、２１ｂ、２１ｃに対応するように配置されている。ボ−ル１１ａが通水路２１ａにはまり通水路２１ａが閉じた状態で、ボ−ル１１ａの下部が下部室２４に突出するようになっている。ボ−ル１１ｂ、１１ｃについても同様である。
　円筒状の下部室２４には、弁軸１２が回動可能に挿着され、かつ、弁軸１２の所定位置に配設したＯリング２５ａ、２５ｂ、２５ｃが、下部室２４の内壁面と水密的に係合している。これによって下部室２４は３つに区画され、通水路２１ａからろ過カ−トリッジ３に原水を供給する原水供給口２６（図６参照）へ通じる流路３１ａと、通水路２１ｂから原水ストレ−ト口１５へ通じる流路３１ｂと、通水路２１ｃから原水シャワ−口１４へ通じる流路３１ｃとを形成している。
　また、図４に示したように、弁軸１２には、通水路２１ａ、２１ｂ、２１ｃに対向する位置に、カム部２７ａ、２７ｂ、２７ｃが設けられている。これらカム部２７ａ、２７ｂ、２７ｃは、弁軸１２の周方向に例えば６０°ずつずらして設けられており、弁軸１２を６０°ずつ回動することにより選択的に上方を向き、下部室２４に突出したボ−ルの下部を押し上げて通水路を開くことができるようになっている。すなわち、後述の弁操作部１８により弁軸１２を所定角度回動することで、通水路２１ａ、２１ｂ、２１ｃのいずれかを開放し、蛇口４から流入した原水をそのままシャワ−水として吐出するか、そのままストレ−ト水として吐出するか、ろ過カ−トリッジ３に供給するか、を選択できる。
　ボ−ル１１ａ、１１ｂ、１１ｃには、芯体としての金属球にゴムを覆ったものを用いているが、弁体の形状は球体に限らず円錐形でも円筒形でもよく、傘形でもよい。そして、通水路を閉塞したときのシ−ル性を向上させるために、上部室２３に設けたボ−ル１１ａ、１１ｂ、１１ｃをバネ等で上方から通水路方向に付勢してもよい。
　図６、図１０に示すように、切換弁本体１３の側部後方には、ろ過カ−トリッジ３に原水を供給する原水供給口２６と、ろ過カ−トリッジ３から浄水を受け入れる浄水受入口２９とが設けられている。原水供給口２６は流路３１ａに連通しており、浄水受入口２９は浄水送水路３０を介して浄水流出口１９と連通している。浄水送水路３０には、後述する流量検出部１０２の水車１２２と水車支持部材１２３が設けられ、浄水の通水により水車１２２が回転するようになっている。
　次に、ろ過カ−トリッジ３について簡単に説明する。
　ろ過カ−トリッジ３は、図７の横断面図に示すように、容器６１の底部に、原水供給口２６から原水を受け入れる原水受入口６２と、浄水受入口２９に浄水を供給する浄水供給口６３が設けられている。原水受入口６２と浄水供給口６３には、それぞれＯリング７３、７４が設けられ、原水供給口２６と浄水受入口２９に接続した際に外部に水が漏れるのを防止している。
　容器６１の内部底面には円筒状突起６１ａが形成されており、円筒状突起６１ａに、中空糸膜モジュールの円筒体６４の下端がＯリング６５を介して嵌入立設されている。そして、この円筒体６４の外周上下部には、円筒体６４外周面と容器６１の内壁面との間を通過する原水の処理を行う吸着剤層７０を保持するために、リング状のフィルタ６６、６７が固定されている。
　円筒体６４の内部には、複数本の中空糸膜を束ねて逆Ｕ字状に折り曲げた中空糸膜束６８が収納されている。中空糸膜の両端部は、円筒体６４の下部にて各中空糸間および中空糸と円筒体６４との間に充填された硬化性樹脂６９（封止剤）により封止固定（ポッティング）されている。各中空糸膜は、容器６１へ嵌入する前にポッティング部が一部切断除去されているので、末端が浄水供給口６３に向かって開口している。
　そして、円筒体６４の外周面と容器６１の内壁面との間には、活性炭、ゼオライト、イオン交換樹脂、キレ−ト樹脂などからなる吸着剤層７０が配備されている。
　容器６１の上部は、中空糸膜束６８と吸着剤を容易に充填できるよう開口されており、内部の汚れを確認できるように透明キャップ７１が嵌入され、超音波溶着されている。
　上記のように構成されたろ過カートリッジ３は、図６に示したように、本体部２内に装填され、カ−トリッジキャップ９１が、ろ過カ−トリッジ３に覆い被さる位置で下部ボディ１６と上部ボディ１７とにネジ締付固定され、ろ過カ−トリッジ３を所定位置に固定する役目を果たしている。カ−トリッジキャップ９１には、開閉キャップ９２が設けられており、開閉キャップ９２を開くと、カ−トリッジキャップの開口部９３およびろ過部の透明キャップ７１を通じて、中空糸膜の汚れ具合を確認できるようになっている。
　続いて、図３、図６を用いて、弁軸１２を回動操作する弁操作部１８について説明する。
　弁操作部１８は、図６に示すように、レバ−５と、切換弁本体１３に回動可能に支持され、レバ−５と同じ軸回りに回動する駆動軸４１と、一端が下部ボディ１６に固定され他端がレバ−５に固定されたねじりコイルバネ４４などから構成されている。レバー５は、図３に示すように矢印Ａ方向に押し下げると、操作ストッパ−４３に当接するまで反時計方向に（図６を右側面から見た場合）回動し、レバ−５が操作ストッパ−４３に当接した状態で操作をやめて指を離すと、ねじりコイルばね４４により時計方向に回動し、初期位置に戻るようになっている。
　図８は、図５におけるＣ−Ｃ矢視概略断面図であって、レバ−５と駆動軸４１の接続部を示している。図８に示すように、駆動軸４１の一端に嵌入されたラチェット爪部材４７は、レバ−５のラチェット歯４８と噛み合ってラチェット機構を構成している。レバ−５を初期位置から反時計方向（図６を右側面から見た場合）に回動させるときには、駆動軸４１はレバ−５と一体となって反時計方向に４０°回動し、レバ−５が時計方向に回動して初期位置に戻るときには、駆動軸４１は回動しないようになっている。
　図６と、図６におけるＤ−Ｄ矢視概略断面図である図９に示すように、駆動軸４１には平歯車４５が設けられ、弁軸１２に設けられた平歯車４６と噛み合っている。平歯車４５と４６のギヤ比は３：２であるので、平歯車４５が４０°回動すると平歯車４６は６０°回動する。すなわち、レバ−５を１回操作すると、駆動軸４１は４０°回動し、弁軸１２は６０°回動する。ここで、平歯車をはすば歯車ややまば歯車などにしても何ら問題はない。また、ギヤ比を３：２としたが、これに限らず２：１でも３：１でもよい。平歯車４５の歯数を平歯車４６の歯数より大きくすると、駆動軸４１の回動角度に対し弁軸１２の回動角度は大きくなる。すなわちレバ−５の操作角度を小さくしても、弁軸１２の回動角度を十分に大きくすることができる。以上のように、歯車を用いるとギヤ比を選択することで容易にレバ−操作角度を設定でき、しかも確実かつ正確に流路切換ができる。
　そして、駆動軸４１には、図５に示すように、切換状態を示す「浄水」「ストレ−ト」「シャワ−」の文字が４０°毎に各３ヶ所印刷された表示リング５１が固定されている。表示リング５１に印刷された「浄水」「ストレ−ト」「シャワ−」いずれかの文字が、上部ボディ１７の開口部８１から見えるようになっていて、切換状態が容易に確認できる。なお、切換状態を示す表示は、文字、イラスト単独でも、また、それらの組合せでもよい。そして、開口部８１に透明部材８２を取り付けることで、食器洗いのときなどに水が本体部２の内部に入るのを防いだり、表示リング５１が汚れるのを防いだりしている。
　次に、流量を積算して、その結果を表示する電装部（電子回路）について説明する。
　図６、図１０に示したように、電装部は、電源部１０１と、流量検出部１０２と、ろ過カ−トリッジ識別部１０３と、制御部１０４と、液晶表示器１０５などから構成されている。
　電源部１０１は、図１１の分解斜視図に示すように、主に、本体部２に設けた電池ホルダ１１５と、コイン形二酸化マンガンリチウム電池１１１（以下、電池１１１）と、陽極金具１１３および陰極金具１１４と、電池を水密に固定する脱着自在な電池カバ−１１２などから構成される。
　電池カバ−１１２は、筒状の電池装着部１１６を有するとともにその外周にＯリング１１７を有し、電池カバ−１１２がバヨネット機構により電池ホルダ１１５に装着したときに電池装着部１１６に水が浸入するのを防ぐようになっている。筒状の電池装着部１１６には切り欠き１１８が設けられているので、指を引っかけて容易に電池を取り外すことができる。また、電池カバ−１１２の表面には、硬貨を挿入して回すための凹部１１９が設けられ、その周囲に、電池の規格と開閉のための回転方向を示す文字やイラストが刻印されている。したがって、使用者は、電池の規格と電池カバ−１１２の回転方向を確認した上で、コインを使って電池カバ−１１２を電池ホルダ１１５から取り外し、電池を交換することができる。
　電池ホルダ１１５内に設けられた陽極金具１１３および陰極金具１１４は、それぞれリ−ド線で図６に示す制御部１０４に結線されており、電池１１１による電力が制御部１０４に供給される。リ−ド線は、ゴムキャップ１２０を介して電池ホルダ１１５に固定されており、このゴムキャップ１２０が、水がリ−ド線をつたって陽極金具１１３、陰極金具１１４さらには電池装着部１１６内に浸入するのを防止している。
　電池は、一次電池でも二次電池であってもよく、比較的高い電圧で、長期間安定して電力を供給できる二酸化マンガンリチウム電池などのリチウム電池のほか、アルカリ乾電池、マンガン乾電池、酸化銀電池、空気亜鉛電池などでもよい。また、形状は、軽量で大きな設置スペ−スを必要としないボタン形、コイン形などの小形電池が好ましい。小形電池の場合、本体部が著しく大型化したり著しく重量増加することはなく、また、大幅なコストアップにもならない。
　流量検出部１０２は、図１０および図１２〜図１４に示すように、主に、磁石１２１を埋設した水車１２２と、水車１２２を回転可能に支持する水車支持部材１２３と、磁石の回転に応じて開閉する磁気スイッチ１２４と、磁気スイッチ１２４を支持固定する磁気スイッチホルダ１２５とから構成されている。
　水車１２２は、円柱形の軸部１３１に２枚の羽根１３２、１３３が形成されてなり、軸部１３１の一端には水車支持部材１２３の軸１２６が挿入される回転軸穴１３４が設けられ、他端には磁石１２１が埋設される磁石取付穴１３５が設けられている。
　磁石１２１は、そのＮ極・Ｓ極を結ぶ直線と水車１２２の回転軸とが垂直になるように磁石取付穴１３５に挿入し、脱落を防止するとともに接水による発錆を防止するために、磁石取付穴１３５の開口部に栓部材を被せ接着したり溶着する。磁石１２１の脱落および発錆を防止するためには、磁石１２１を磁石取付穴１３５に挿入した後、磁石取付穴１３５の開口部を硬化性樹脂１３６（封止材）で封止することも好ましい。硬化性樹脂としては、より安全性の高いポリウレタン樹脂が好ましいが、エポキシ樹脂や、その他の封止材、接着剤を用いてもよい。磁石１２１の錆を防止するためには、磁石そのものをコ−ティングすることも好ましい。また、磁石１２１には、磁力が強い希土類磁石のほか、フェライト磁石などを使用してもよい。
　水車１２２は、図１０に示すように、浄水送水路３０内で回転可能なように、水車支持部材１２３によって下流側から軸支されている。水車１２２は、その回転軸が浄水の送水方向に平行な軸流型であっても直交するものであってもよい。また、水車の羽根は２枚としているが、１枚でもよく、３枚以上でもよい。さらに、水車を、ろ過カ−トリッジ３の下流側の浄水送水路３０に設けたが、上流側に設けてもよい。この場合は、水車１２２にゴミ等が引っかからないよう、さらに上流側にプレフィルタを設けることが好ましい。
　磁気スイッチ１２４は、図１４に示すように、磁気スイッチホルダ１２５に挿入され、硬化性樹脂１３７（封止材）により封止固定されている。磁気スイッチ１２４の２つの端子はリ−ド線により図１０に示す制御部１０４と結線されており、磁気スイッチ１２４の開閉によるパルス信号が制御部１０４に伝達される。磁気スイッチ１２４を収容した磁気スイッチホルダ１２５は、図６に示すように、浄水送水路３０の外周に接し、かつ、水車１２２の近傍に固定されている。
　このように構成された流量検出部１０２は、浄水が流れることにより水車１２２が回転し、水車１２２に埋設された磁石１２１が回転し、それに応じて磁界が変化する。磁石１２１が１回転することにより磁気スイッチ１２４は２回開閉して、その結果、２周期分のパルス信号が発信され、制御部１０４に伝達される。
　次に、制御部１０４と液晶表示器１０５について、図６、図１６を用いて説明する。
　制御部１０４は、主に、ＣＰＵが設けられた回路基板１５１と、回路基板１５１を収納する透明の基板ホルダ１５２と、回路基板１５１を基板ホルダ１５２に支持固定する基板枠１５３とから構成されている。ＣＰＵは、電源部１０１から電力供給を受け、流量検出部１０２からのパルス信号と、ろ過カ−トリッジ識別部１０３からの信号に基づいて演算を行い、液晶表示器１０５に出力信号を送るようになっている。回路基板１５１には、リセットボタン１５４が設けられ、外部からの操作でリセットボタン１５４を押して積算流量のデ−タ等をリセットできるようになっている。そして、リセットボタン１５４の上方に回路基板１５１への水の浸入を防ぐスイッチゴム１５６を配置し、そのスイッチゴム１５６によって、リセットボタンを間接的に操作することが好ましい。
　液晶表示器１０５は、回路基板１５１に直接、支持固定された状態で、本体部２の前方上部に位置し、使用者が使用中に見やすいようになっている。この液晶表示器１０５は、回路基板から離れた位置に配置しリ−ド線等で結線することも可能だが、回路基板１５１に直接、支持固定したほうが信号を確実に伝達できる。また、外部から水が浸入して回路基板１５１が誤作動するのを防止するため、基板ホルダ１５２に、その開口部から回路基板１５１と液晶表示器１０５とを挿入し基板枠１５３で固定した状態で、開口部を硬化性樹脂１５５（封止材）で封止して防水加工をすることが好ましい。このように防水加工を施すことにより、各部品に対して個別に防水加工を施す必要がなく、製造工程の簡略化、製造コストの低減が可能になる。硬化性樹脂１５５としては、２液混合型のポリウレタン樹脂やエポキシ樹脂などを用いればよい。
　液晶表示器１０５には、図１７に示すように、枠１６７とその中に設けられた３個のブロックＡ、Ｂ、Ｃからなるろ過カ−トリッジ交換表示素子１６１と、電池交換表示素子１６２と、カ−トリッジ種類表示素子１６３とが設けられており、それらが点灯、消灯、点滅することで、カートリッジの寿命、電池の寿命、カートリッジの種類を表示する。これらろ過カートリッジ交換表示素子１６１、電池交換表示素子１６２、カートリッジ種類表示素子１６３
は、１
る。
　次に、図１０中のろ過カ−トリッジ識別部１０３について、図１５の概略縦断面図を用いて説明する。
　ろ過カ−トリッジ識別部１０３は、主に、導電部材１４２を密着させたゴムスイッチ１４３と、導電部材１４２との２つの接点を有する識別基板１４１と、それらを収納する識別部ハウジング１４４とから構成されている。
　識別基板１４１の２つの接点は、リ−ド線により制御部１０４と結線されており、２つの接点の開閉が制御部１０４に伝達されるようになっている。
　ゴムスイッチ１４３は、識別基板１４１と重ねるようにして識別部ハウジング１４４に収納されている。ろ過カ−トリッジ３の底部に設けた突起７２により、スイッチ操作穴１４５を通してゴムスイッチ１４３を押すと、導電部材１４２が識別基板１４１の２つの接点に接触し、回路が閉じ電流が流れるようになっている。ろ過カ−トリッジを取り外したことにより突起７２が離れると、弾性によりゴムスイッチ１４３が初期状態に戻り、接点が開く。ろ過カ−トリッジの底部に突起が設けられていない場合は、接点が開いたままである。すなわち、この接点の開閉信号により、底部に突起を設けたろ過カ−トリッジと、突起を設けていないカ−トリッジとを識別することができる。ゴムスイッチ１４３は、スイッチ操作穴１４５から識別基板１４１側に水が浸入するのを防ぐ役目も果たしている。
　なお、突起の替わりに底部に凹みを設けたカ−トリッジと、凹みを設けないカ−トリッジを識別する機構を採用してもよい。また、スイッチ操作穴、ゴムスイッチおよび識別基板を複数個設け、３種類以上のカ−トリッジの識別を可能にしてもよい。さらに、突起とゴムスイッチの替わりに、バ−コ−ドとバ−コ−ドリ−ダの組み合わせや、磁石と磁気スイッチの組み合わせを用いてもよい。
　続いて、以上のように構成された浄水器１の作用について説明する。
　図４は、原水が原水シャワ−口１４から吐出される状態を示している。蛇口を開くと、原水は、原水流入口２８から流入し、水流緩和部材３９でその勢いが緩和された後、カム部２７ｃがボ−ル１１ｃを押し上げて開放している通水路２１ｃを通過して、原水シャワ−口１４から吐出される。このとき、開口部８１からは表示リング５１に記された「シャワー」の文字が見える。
　ここで、図１に示すレバ−５を操作して、操作ストッパ−４３に当たるまで回動させると、図８に示すラチェット機構を介してレバ−５に接続されている駆動軸４１が４０°回動する。同時に平歯車４５から４６へ回動が伝達され、弁軸１２が正確に６０°回動する。すると、弁軸１２のカム２７ｃに替わりカム２７ｂが上方を向き、通水路２１ｃが閉じて通水路２１ｂが開く。その結果、原水は通水路２１ｃを通過して原水ストレ−ト口１５から吐出される。このとき、開口部８１からは表示リング５１に記された「ストレ−ト」の文字が見える。
　次に、レバ−５から指を離すと、ねじりコイルばね４４によりレバ−５は逆方向に回動し、初期位置に戻って停止する。このとき、ラチェット機構を介して接続された駆動軸４１は回動せず、弁軸１２も表示リング５１も回動しない。
　レバ−５をもう一度押し下げると、同様に弁軸１２が正確に６０°回動し、通水路２１ｂが閉じて通水路２１ａが開く。この結果、原水は通水路２１ａを通過して原水供給口２６に流れる。そして、図７に示す原水受入口６２からろ過カ−トリッジ３に流入し、活性炭などの吸着剤と中空糸膜によってろ過される。ろ過された水は、浄水供給口６３から浄水受入口２９に流れ、浄水送水路３０を通過して浄水流出口１９から吐出される（図１０参照）。このとき、開口部８１からは表示リング５１に記された「浄水」の文字が見え、また、浄水送水路３０に流れる浄水により水車１２２が回転し、流量検出部１０２によって制御部１０４にパルス信号が送られ、そのパルス信号の周期が浄水の流量として積算される。
　そして、この浄水の積算流量に応じて、ろ過カートリッジの残存寿命が液晶表示器１０５のろ過カ−トリッジ交換表示素子１６１に表示される。すなわち、ろ過カ−トリッジ交換表示素子１６１は、図１７に示すように、ろ過カ−トリッジ使用開始時に枠１６７とブロックＡ、Ｂ、Ｃの全てが点灯しているが、浄水の積算流量に対応するパルスの積算カウント数が予め設定した第１の設定値に達したら、ブロックＡ１６４が消灯し、さらに第２の設定値に達したら、ブロックＢ１６５が消灯する。さらに、ろ過カ−トリッジを交換しなければならない積算流量に近づいたら（第３の設定値）、ブロックＣ１６６が消灯するとともに枠１６７が点滅し、ろ過カ−トリッジの交換を使用者に促す。使用者が、新しいろ過カ−トリッジに交換してリセットボタン１５４を押せば、積算カウント数がゼロに戻り、ろ過カ−トリッジ交換表示素子１６１も初期表示に戻る。
　また、液晶表示器１０５は、電池の電圧が予め設定した値以下に低下した時点で電池交換表示素子１６２を点滅し、使用者に電池の交換を促すようになっている。したがって、使用者は電池の使用開始時期と説明書等に記載されている電池寿命をわざわざ記憶しておく必要がない。そのため、電池寿命を忘れたために電池の交換ができずろ過カ−トリッジ使用中に積算流量のデ−タが消滅してしまうこともなく、適切な時期に電池交換が行える。使用者が新しい電池に交換すれば電池交換表示素子１６２は自動的に消灯するようになっている。なお、消費電力が使用状況に関わらずほぼ一定である場合は、浄水の積算流量や、浄水の通水時間の積算値や、浄水を通水していない時間の積算値などから、消灯から点灯に変わるタイミングを決めても差し支えない。なお、電池交換表示素子１６２は、電池使用開始時には消灯し、電池の寿命に近づいたときに点滅するというように構成しているが、前述のろ過カ−トリッジ交換表示と同様に段階的に表示してもよい。
　さらに、液晶表示器１０５は、カ−トリッジ種類表示素子１６３が前述したろ過カ−トリッジ識別部１０３からの信号に基づいて点灯、消灯することにより、装着しているカートリッジの種類を表示する。たとえば、底部に突起を設けた有機物の除去率が高いカ−トリッジ（以下、高除去カ−トリッジ）を装着した場合には点灯し、底部に突起が無い標準カ−トリッジを装着した場合には消灯する。ここで、カ−トリッジの寿命も異なる場合に、前述したろ過カ−トリッジ交換表示に関する第１〜３の設定値は、高除去カ−トリッジ用と標準カ−トリッジ用にそれぞれ記憶されていて、ろ過カ−トリッジ識別部１０３からの信号に基づいて自動的に選択される。これにより、カートリッジの種類に合わせたカートリッジ残存寿命が表示されるので、使用者は、使用しているカートリッジの種類とろ過能力、使用開始時期をわざわざ記憶しておかなくでも適切な時期にろ過カートリッジを交換できる。
　そして、この液晶表示器１０５は、ろ過カートリッジ３を使用しない場合には消灯する。すなわち、回路基板１５１のＣＰＵが、浄水の通水が停止して流量検出部１０２からのパルス信号が停止した（磁気スイッチ１２４が開または閉の状態が一定時間以上続いた）ことを検知してスリ−プモ−ドに切り替わり、液晶表示器１０５を消灯する。この切り替えによって電池の電力消費が大幅に抑えられ、電池を長期間使用できる。なお、電池交換直後とリセットボタン操作直後には一定時間だけスリ−プモ−ドを解除し、液晶表示器１０５を点灯させる。これは、使用者が、正しく電池を装着できたことや、正しくデ−タをリセットできたことを確認するためである。
　本発明は以下のように変形実施することができる。
　（１）前述の実施態様において、ろ過カ−トリッジ交換表示素子１６１はブロックを段階的に消灯させる方式としたが、段階的に点灯させる方式でもよい。また、積算流量を数値で表示する方式でも、さらには減算式、加算式いずれでもよい。
　（２）前述の実施態様では表示部に液晶表示器１０５を用いたが、ブザ−やスピ−カ−を設けて発信音や音声を同時に発すれば、使用者はさらにわかりやすくなる。
　（３）前述の実施態様では、制御部１０４にリセットボタン１５４を設けて手動でリセットするように構成したが、ろ過カ−トリッジ識別部１０３と同様、ろ過カ−トリッジ３の装着部近傍にリセットボタンを設け、ろ過カ−トリッジ３の脱着を検知してリセットを行う方式でもよい。
　（４）前述の実施態様では、ろ過カ−トリッジ識別部１０３によりろ過カ−トリッジの種類を識別したが、ろ過カ−トリッジの種類を手動で入力する入力ボタンを設けてもよい。また、リセットボタンを一定時間以上押し続けることでカ−トリッジの種類を入力するもの、すなわち入力ボタンとリセットボタンを兼用したものにすれば製造コストが抑えられる。
　（５）前述の実施態様では、電池カバ−１１２を電池ホルダ１１５にバヨネット機構により装着する構成としたが、ネジ締結機構でも、スライド機構でもよい。
　（６）前述の実施態様では磁気スイッチ１２４を用いて流量を検出したが、減速歯車機構と電気的接点を用いる方法や、ダイヤフラムなど通水によって変形する部材と電気的接点を用いる方法などを採用してもよい。
　（７）前述の実施形態ではラチェット機構を用い、レバ−５の上下動で切換操作を行ったが、レバ−の停止位置に応じて切換状態が換わる方式でもよい。
　（８）前述の実施形態では弁体にボ−ルを用いた切換弁としたが、ゴムパッキンやＯリングを装着した回動軸で流路の開閉を行う切換弁でもよい。
　（９）前述の実施形態は蛇口に支持固定する浄水器だが、ろ過カ−トリッジをシンク付近に置く据置型浄水器や、シンクの下にろ過カ−トリッジを置くアンダ−シンク型浄水器や、蛇口に接続せずに使用するピッチャ−型浄水器として実施することもできる。また、アルカリイオン整水器やミネラル生成器として実施することもできる。
　【発明の効果】
　本発明の浄水器は、電池装着部と、通水時において信号を発信する流量検出部と、電池装着部に装着された電池から電力の供給をうけ流量検出部からの信号に基づいて表示部に出力信号を送る制御部と、制御部からの出力信号に基づいて点灯する表示部と、表示部による表示を初期表示にリセットするリセットボタンとを備えた浄水器であって、制御部は、通水の停止を検知して表示部を消灯させる機能と、電池交換後および／またはリセットボタン操作後に表示部を一定時間点灯させる機能とを有するので、電池の電力消費が大幅に抑えられ、電池を長期間使用できる。また、電池交換後やリセットボタン操作後には表示が点灯するので、使用者が、正しく電池を装着できたことや、正しくデ−タをリセットできたことを確認することもできる。
【図面の簡単な説明】
　【図１】本発明の一実施態様を示す浄水器の正面図である。
　【図２】図１に示す浄水器の上面図である。
　【図３】図１に示す浄水器の右側面図である。
　【図４】図２に示す浄水器のＡ−Ａ縦断面図である。
　【図５】図２に示す浄水器のＢ−Ｂ縦断面図である。
　【図６】図１に示す浄水器の横断面図である。
　【図７】ろ過カ−トリッジの横断面図である。
　【図８】図５に示す浄水器におけるレバ−と駆動軸との接続部のＣ−Ｃ矢視断面図である。
　【図９】図６に示す浄水器のＤ−Ｄ矢視断面図である。
　【図１０】図４に示す浄水器のＥ−Ｅ矢視断面図である。
　【図１１】電源部の分解斜視図である。
　【図１２】流量計測部の分解斜視図である。
　【図１３】図１２における水車と水車支持部材の断面図である。
　【図１４】図１２における磁気スイッチと磁気スイッチホルダの断面図である。
　【図１５】ろ過カ−トリッジ識別部の縦断面図である。
　【図１６】図６に示す浄水器における制御部のＦ−Ｆ矢視断面図である。
　【図１７】液晶表示器の概略図である。
　【符号の説明】
　１：浄水器　２：本体部
　３：ろ過カ−トリッジ　４：蛇口
　５：レバ−　１１ａ：ボール
　１１ｂ：ボール　１１ｃ：ボール
　１２：弁軸　１３：切換弁本体
　１４：原水シャワー口　１５：原水ストレート口
　１６：下部ボディ　１７：上部ボディ
　１８：弁操作部　１９：浄水流出口
　２１ａ：通水路　２１ｂ：通水路
　２１ｃ：通水路　２２：区画板
　２３：上部室　２４：下部室
　２５ａ：ｏリング　２５ｂ：ｏリング
　２５ｃ：ｏリング　２６：原水供給口
　２７ａ：カム部　２７ｂ：カム部
　２７ｃ：カム部　２８：原水流入口
　２９：浄水受入口　３０：浄水送水路
　３１ａ：流路　３１ｂ：流路
　３１ｃ：流路　３６：パッキン
　３７：アダプタ　３８：取付ナット
　３９：水流緩和部材　４１：駆動軸
　４３：操作ストッパー　４４：ねじりコイルばね
　４５：平歯車　４６：平歯車
　４７：ラチェット爪部材　４８：ラチェット歯
　５１：表示リング　６１：容器
　６１ａ：円筒状突起　６２：原水受入口
　６３：浄水供給口　６４：円筒体
　６５：ｏリング　６６：フィルタ
　６７：フィルタ　６８：中空糸膜束
　６９：硬化性樹脂　７０：吸着剤層
　７１：透明キャップ　７２：突起
　７３：ｏリング　７４：ｏリング
　８１：開口部　８２：透明部材
　９１：カ−トリッジキャップ　９２：開閉キャップ
　９３：開口部　１０１：電源部
　１０２：流量検出部　１０３：ろ過カ−トリッジ識別部
　１０４：制御部　１０５：液晶表示器
　１１１：電池　１１２：電池カバ−
　１１３：陽極金具　１１４：陰極金具
　１１５：電池ホルダ　１１６：電池装着部
　１１７：ｏリング　１１８：切り欠き
　１１９：凹部　１２０：ゴムキャップ
　１２１：磁石　１２２：水車
　１２３：水車支持部材　１２４：磁気スイッチ
　１２５：磁気スイッチホルダ　１２６：軸
　１３１：軸部　１３２：羽根
　１３３：羽根　１３４：回転軸穴
　１３５：磁石取付穴　１３６：硬化性樹脂
　１３７：硬化性樹脂　１４１：識別基板
　１４２：導電部材　１４３：ゴムスイッチ
　１４４：識別部ハウジング　１４５：スイッチ操作穴
　１５１：回路基板　１５２：基板ホルダ
　１５３：基板枠　１５４：リセットボタン
　１５５：硬化性樹脂　１５６：スイッチゴム
　１６１：ろ過カ−トリッジ交換表示素子
　１６２：電池交換表示素子　１６３：カ−リッジ種類表示素子
　１６４：ブロックＡ　１６５：ブロックＢ
　１６６：ブロックＣ　１６７：枠